(57)【特許請求の範囲】
【請求項１】
矩形状床パネルの直交する２辺に壁パネルを立設してなる下階建物ユニットの４個を互いに壁のない面を向き合わせて配置し、矩形状床パネルの周縁に壁パネルを立設してなる上階建物ユニット、または矩形状上階床パネルを、前記４個の下階建物ユニットの上に跨がって載置してそれぞれに分散して支持させ、さらに、前記上階建物ユニット、または矩形状上階床パネルの両側に、それぞれ、各下階建物ユニットに対応した小さい上階建物ユニットを２個ずつ配置してなることを特徴とするユニット建物。
【請求項２】
上階建物ユニットまたは上階床パネルの長辺が、下階建物ユニットの短辺と平行に配置され、下階建物ユニットの短辺の略２倍になされていることを特徴とする請求項１記載のユニット建物。
【請求項３】
上階建物ユニットまたは上階床パネルの長辺中間位置に外壁パネルを立設し、この外壁パネルを境にして一方側を居室部分として構築し、他方側をバルコニー部分として構築してなることを特徴とする請求項１または２のいずれか１項記載のユニット建物。
【発明の詳細な説明】
【０００１】
【発明の属する技術分野】
本発明は、壁式工法によるユニット建物に関する。
【０００２】
【従来の技術】
従来のユニット建物において、特公平１−３２３４２号公報に記載のものは、矩形状床パネルの直交する２辺に壁パネルを立設してなる建物ユニットの４個を互いに壁のない面を向き合わせて配置し、４周が壁パネルで囲まれた部屋区画を形成してなる壁式工法によるユニット建物である。
上記ユニット建物によると、輸送に支障を生じることのない一定範囲内の建物ユニットを用いて、中央に柱、壁のない比較的広い部屋区画を形成することができる。
【０００３】
【発明が解決しようとする課題】
しかしながら、上記公報記載の従来の壁式工法によるユニット建物においては、四周を壁パネルで囲われた広い部屋区画を形成しているので、この部屋区画の中央部壁パネル間に通し梁を架け渡して、壁パネル間強度を補強する必要がある。しかし、この通し梁が天井から突出するので、広い部屋区画を形成できても部屋空間の開放感を損なうこととなる。  また、上記通し梁は現地取り付けとなるので、吊り上げ回数が増し、現地工数が増えるという問題がある。
【０００４】
本発明は、上述のような従来技術の問題点を解消するためになされたものであって、壁パネル間の通し梁を不要にできるユニット建物を提供することを課題とする。
【０００５】
【課題を解決するための手段】
請求項１記載の発明は、矩形状床パネルの直交する２辺に壁パネルを立設してなる下階建物ユニットの４個を互いに壁のない面を向き合わせて配置し、矩形状床パネルの周縁に壁パネルを立設してなる上階建物ユニット、または矩形状上階床パネルを、前記４個の下階建物ユニットの上に跨がって載置してそれぞれに分散して支持させ、さらに、前記上階建物ユニット、または矩形状上階床パネルの両側に、それぞれ、各下階建物ユニットに対応した小さい上階建物ユニットを２個ずつ配置してなることを特徴としている。
【０００６】
請求項２記載の発明は、請求項１記載のユニット建物において、上階建物ユニットまたは上階床パネルの長辺が、下階建物ユニットの短辺と平行に配置され、下階建物ユニットの短辺の略２倍になされていることを特徴としている。
【０００７】
請求項３記載の発明は、請求項１または２のいずれか１項記載のユニット建物において、上階建物ユニットまたは上階床パネルの長辺中間位置に外壁パネルを立設し、この外壁パネルを境にして一方側を居室部分として構築し、他方側をバルコニー部分として構築してなることを特徴としている。
【０００８】
上記本発明において、上階床パネルの周縁に配設される枠体として、木質の構造体本体の長手方向に沿って金属板を重合して構成される構造材を用いるとよい。すると、枠体の厚みを増やさないでも強度の大きい床パネルにできる。
【０００９】
（作用）
請求項１記載のユニット建物は、上階建物ユニットまたは上階床パネルを、前記４個の下階建物ユニットの上に跨がって載置してなるものであるから、上階建物ユニットまたは上階床パネルが、４個の下階建物ユニットのそれぞれに分散して支持され、壁パネル間の通し梁を不要にできる。
この結果、通し梁が天井から突出して部屋空間の開放感を損なうという問題を解決できると同時に、通し梁の現地取り付けが不要となって、現地工数も減少する。
【００１０】
請求項２記載のユニット建物は、さらに、上階建物ユニットまたは上階床パネルの長辺が、下階建物ユニットの短辺と平行に配置され、下階建物ユニットの短辺の略２倍になされているので、輸送に支障を生じることのない一定範囲内の建物ユニットとなる。
また、中央に柱、壁のない比較的広い部屋区画を形成することができる。
【００１１】
請求項３記載のユニット建物は、さらに、上階建物ユニットまたは上階床パネルの長辺中間位置に外壁パネルを立設し、この外壁パネルを境にして一方側を居室部分として構築し、他方側をバルコニー部分として構築してなるものであるから、居室用の建物ユニットとバルコニーユニットとを別体にして取り付ける手間が省け、現地工数が減少する。
【００１２】
【発明の実施の形態】
以下、本発明の実施の形態について図面を参照しながら詳細に説明する。  図１〜図３は、本発明の一実施例であって、図１（イ）図はユニット建物の一部を示す斜視図、（ロ）図は（イ）図のユニット建物の１階部分を平面図、（ハ）図は２階部分の平面図である。図２（イ）図は１階部分を構成する１階建物ユニット群を分解して示す斜視図、（ロ）図は２階部分を構成する２階建物ユニット群を分解して示す斜視図である。図３（イ）図は２階床パネルと壁パネルの斜視図、（ロ）図は床パネルの枠体に金属板が重合された２階建物ユニットの斜視図である。
【００１３】
図１において、１は壁式工法によるユニット建物である。このユニット建物１は、その１階部分の一部を、図１（ロ）図に示すように、４個の１階建物ユニット２、２、２、２を隣接配置して構成している。
上記１階建物ユニット２は、図２（イ）図に示すように、矩形状床パネル２１の直交する２辺の長辺側に壁パネル２２を立設し、短辺側に壁パネル２３を立設してなるＬ字壁型になされている。
そして、この１階建物ユニット２の４個を、互いに壁のない面を向き合わせて配置している。
【００１４】
上記ユニット建物１の２階部分には、図１（イ）図と（ハ）図に示すように、２階建物ユニット３を、前記４個の１階建物ユニット２、２、・・の上に跨がって載置している。
上記２階建物ユニット３は、図２（ロ）図に示すように、矩形状床パネル３１の短辺側に互いに向き合う壁パネル３２、３２を立設してなるニ字壁型になされている。
そして、上記２階建物ユニット３は、１階建物ユニット２の短辺と平行に、２階建物ユニット３の長辺を向けて配置されている。
また、２階建物ユニット３の長辺Ｌ２は、１階建物ユニット２の短辺Ｌ１の略２倍になされ、１階建物ユニット２の壁パネル２２の直上に２階建物ユニット３の壁パネル３２が連続するようになっている。
【００１５】
さらに、上記２階建物ユニット３の両側（長辺側）に、それぞれ、Ｌ字壁型の２階建物ユニット４、４を２個ずつ配置している。
上記２階建物ユニット４は、いずれも、矩形状床パネル４１の直交する２辺の長辺側に壁パネル４２を立設し、短辺側に壁パネル４３を立設してなるものである。そして、これら２階建物ユニット３、４は、いずれも、互いに壁のない面を向き合わせて配置し、広い部屋区画を形成している。
なお、これら２階建物ユニット３、４、４、・・の上には、複数の分割された屋根ユニット（不図示）を載置し、上記の部屋区画の上面全体を覆うようにしている。
【００１６】
図３は、上記２階建物ユニット３の変形例であって、（イ）図に示すものは前記２階建物ユニット３に代えて、床パネル３１だけを４個の１階建物ユニット２、２、・・の上に跨がって載置し、その後、この床パネル３１の周縁に壁パネル３２、３２を現地付けして取り付けるようにしたものである。
また、図３（ロ）図は、２階建物ユニット３の床パネル３１において、この床パネル３１の周縁に配設される枠体として、木質の構造材本体の長手方向に沿って金属板３３を重合して構成される構造材を用いたものである。
これにより、枠体の厚みを増やさないでも強度の大きい床パネル３１にできる。
【００１７】
上記本実施例のユニット建物１は、２階建物ユニット３または２階床パネル３１を、前記４個の１階建物ユニット２、２、・・の上に跨がって載置してなるものであるから、２階建物ユニットまたは２階床パネル３１が、４個の１階建物ユニット２のそれぞれに分散して支持され、壁パネル２２、２２間の通し梁を不要にできる。
この結果、通し梁が天井から突出して部屋空間の開放感を損なうという問題を解決できると同時に、通し梁の現地取り付けが不要となって、現地工数も減少する。
【００１８】
さらに、１階建物ユニット２の短辺と平行に、２階建物ユニット３または２階床パネル３１の長辺を向けて配置し、２階建物ユニット３または２階床パネル３１の長辺が１階建物ユニット２の短辺の略２倍になされているので、輸送に支障を生じることのない一定範囲内の建物ユニットとなる。
また、中央に柱、壁のない比較的広い部屋区画を形成することができる。
【００１９】
図４は、本発明の別の実施例であって、ユニット建物の斜視図である。
以下の実施例において、前記実施例と同じものには同符号を付けて説明を省略し、異なるものだけ別符号を付けて説明する。
１Ａはユニット建物であって、このユニット建物１Ａは、４個の１階建物ユニット２、２、・・の上に跨がって載置した２階建物ユニット３の両側に、同じニ字壁型の２階建物ユニット３、３を配置し、さらに、その両側にコ字壁型の２階建物ユニット５、５を配置したものである。
本実施例のユニット建物１Ａもまた、前記実施例のユニット建物１と同様の作用効果を奏すると共に、これら２階建物ユニット５、３、３、３、５により広い部屋区画を形成できる。
【００２０】
図５と図６は、本発明の他の実施例であって、図５はバルコニー付き２階建物ユニットが設置されたユニット建物の説明図、図６は各種のバルコニー付きユニット建物の平面図である。
本実施例のユニット建物１Ｂ〜１Ｄは、いずれも、２階建物ユニット６の長辺中間位置に外壁パネル６３を立設し、この外壁パネル６３を境にして一方側を居室部分Ｌとして構築し、他方側をバルコニー部分Ｂとして構築してなるものである。
上記２階建物ユニット６は、図５に示すように、矩形状床パネル６１の一方の短辺に壁パネル６２を立設し、他方の短辺に袖壁パネル６４を立設し、この壁パネル６２と袖壁パネル６４との間の中間部に上記外壁パネル６３を立設している。
そして、この２階建物ユニット６を、４個の１階建物ユニット２、２、・・の上に跨がって載置している。
【００２１】
図６（イ）図に示すユニット建物１Ｂは、上記２階建物ユニット６の両側に、それぞれ、２階建物ユニット６、６を隣接配置し、さらに、その両側に２階建物ユニット７、７を隣接配置したものである。
上記２階建物ユニット７は、袖壁パネルを含む壁パネルがＥ字壁型になされ、これら２階建物ユニット７、６、６、６、７をこの順序で隣接配置することにより、外壁パネル６３が一直線状に並び、この外壁パネル６３を境にして一方側に広い居室部分Ｌが形成され、他方側に連続した袖壁付きバルコニー部分Ｂが形成される。
【００２２】
図６（ロ）図に示すユニット建物１Ｃは、上記３個の２階建物ユニット６、６、６の両側に２階建物ユニット８、８を隣接配置したものである。
上記２階建物ユニット８は、袖壁パネルがなく、壁パネルが略Ｃ字壁型になされ、これら２階建物ユニット８、６、６、６、８をこの順序で隣接配置することにより、一方側に広い居室部分Ｌが形成され、他方側にインナーバルコニー型の袖壁付きバルコニー部分Ｂが形成される。
【００２３】
図６（ハ）図に示すユニット建物１Ｄは、前記２階建物ユニット６の左側に２階建物ユニット６と右側に２階建物ユニット７Ａを配置し、さらに、これら２階建物ユニット６、６、７Ａの左側に前記２階建物ユニット７を、右側に２階建物ユニット９を隣接配置したものである。
上記２階建物ユニット７Ａは、一方の長辺側に立設された外壁パネルが中間位置に立設された外壁パネルとＬ字状に直交して配置されている。
上記２階建物ユニット９は、三方が袖壁パネルで囲われているものである。  これら２階建物ユニット７、６、６、７Ａ、９をこの順序で隣接配置することにより、一方側に比較的広い居室部分Ｌが形成され、他方側にＬ字状に折れ曲がった２面連続のバルコニー部分Ｂが形成される。
【００２４】
本実施例のユニット建物１Ｂ、１Ｃ、１Ｄは、いずれも、２階建物ユニット６の長辺中間位置に外壁パネル６３を立設し、この外壁パネル６３を境にして一方側を居室部分Ｌとして構築し、他方側をバルコニーＢとして構築してなるものであるから、居室用の建物ユニットとバルコニーユニットとを別体にして取り付ける手間が省け、現地工数が減少する。
【００２５】
さらに、上記２階建物ユニット６は、４個の１階建物ユニット２、２、・・に跨がって載置してなるものであるから、前記実施例と同様、通し梁を不要にできる。
そして、前記実施例と同様、１階建物ユニット２の短辺方向に、２階建物ユニット６の長辺を向けて配置し、２階建物ユニット６の長辺が１階建物ユニット２の短辺の略２倍になされているので、輸送に支障を生じることのない一定範囲内の建物ユニットとなる。
そしてまた、本実施例のユニット建物１Ｂ、１Ｃ、１Ｄは、いずれも、中央に柱、壁のない比較的広い部屋区画を形成することができる。
【００２６】
【発明の効果】
請求項１記載のユニット建物は、上階建物ユニットまたは上階床パネルが、４個の下階建物ユニットのそれぞれに分散して支持され、通し梁を不要にできるので、通し梁が天井から突出して部屋空間の開放感を損なうという問題を解決できると同時に、通し梁の現地取り付けが不要となって、現地工数も減少する。
【００２７】
請求項２記載のユニット建物は、さらに、上階建物ユニットまたは上階床パネルの長辺が、下階建物ユニットの短辺方向に向けて配置され、下階建物ユニットの短辺の略２倍になされているので、輸送に支障を生じることのない一定範囲内の建物ユニットとなる。
また、中央に柱、壁のない比較的広い部屋区画を形成することができる。
【００２８】
請求項３記載のユニット建物は、さらに、上階建物ユニットまたは上階床パネルの長辺中間位置に外壁パネルを立設し、この外壁パネルを境にして一方側を居室部分として構築し、他方側をバルコニー部分として構築してなるものであるから、居室用の建物ユニットとバルコニーユニットとを別体にして取り付ける手間が省け、現地工数が減少する。
【図面の簡単な説明】
【図１】  本発明の一実施例であって、（イ）図はユニット建物の一部を示す斜視図、（ロ）図は（イ）図のユニット建物の１階部分を平面図、（ハ）図は２階部分の平面図である。
【図２】  （イ）図は１階部分を構成する１階建物ユニット群を分解して示す斜視図、（ロ）図は２階部分を構成する２階建物ユニット群を分解して示す斜視図である。
【図３】  （イ）図は２階床パネルと壁パネルの斜視図、（ロ）図は床パネルの枠体に金属板が重合された２階建物ユニットの斜視図である。
【図４】  本発明の別の実施例であって、ユニット建物の斜視図である。
【図５】  本発明の他の実施例であって、バルコニー付き２階建物ユニットが設置されたユニット建物の説明図である。
【図６】  各種のバルコニー付きユニット建物の平面図である。
【符合の説明】
１、１Ａ、１Ｂ、１Ｃ、１Ｄ    ユニット建物
２      １階建物ユニット
３      ２階建物ユニット
２１    床パネル
２２、２３    壁パネル
３１    床パネル
３２    壁パネル
６      ２階建物ユニット
６１    床パネル
６３    外壁パネル
６４    袖壁パネル
Ｌ      居室部分
Ｂ      バルコニー部分
【図１】
0003694182.tif 000002
【図２】
0003694182.tif 000003
【図３】
0003694182.tif 000004
【図４】
0003694182.tif 000005
【図５】
0003694182.tif 000006
【図６】
0003694182.tif 000007